(57)【特許請求の範囲】
【請求項１】
購入者から注文商品に対する選択要請を受信する段階と、
前記注文商品を提供するショッピングサイトのサーバから前記注文商品に対する商品情報及び前記ショッピングサイト情報を受信する段階と、
前記商品情報、前記ショッピングサイト情報及び前記購入者の会員情報を利用して、注文代行サービスを介する注文決済のための注文決済情報を生成する段階と、
前記注文商品に対する決済が行われるように前記注文決済情報を少なくとも一つの決済代行サーバに伝送する段階と、
を含むインターネット仲介サイトを利用したインターネットショッピングサービス提供方法。
【請求項２】
前記注文決済情報を生成する段階において、
前記購入者によって複数の商品が選択され、前記選択された複数の商品がそれぞれ異なるショッピングサイトから提供される商品である場合、前記注文決済情報は、前記複数の商品を提供する各ショッピングサイト別に生成されることを特徴とする請求項１に記載のインターネット仲介サイトを利用したインターネットショッピングサービス提供方法。
【請求項３】
前記注文決済情報を生成する段階は、
前記購入者によって複数の商品が選択され、前記選択された複数の商品がそれぞれ異なるショッピングサイトから提供される商品である場合、
前記各商品を提供するショッピングサイト別に分類する段階と、
前記分類されたショッピングサイト別に注文決済情報を生成する段階と、を含むことを特徴とする請求項１に記載のインターネット仲介サイトを利用したインターネットショッピングサービス提供方法。
【請求項４】
前記注文決済情報を伝送する段階は、
前記各ショッピングサイト別に生成された注文決済情報を前記各ショッピングサイトと連携している決済代行サーバにそれぞれ伝送することを特徴とする請求項１に記載のインターネット仲介サイトを利用したインターネットショッピングサービス提供方法。
【請求項５】
前記ショッピングサイト情報は、前記ショッピングサイトと連携している決済代行会社の情報、ショッピングサイトのＩＤ、ショッピングサイトのＵＲＬ、及び商品詳細情報ページのＵＲＬのうち少なくとも一つを含むことを特徴とする請求項１に記載のインターネット仲介サイトを利用したインターネットショッピングサービス提供方法。
【請求項６】
前記注文商品は、インターネット仲介サイトを利用したインターネット商品検索により検索された少なくとも一つのショッピングサイトの商品リストから選択されることを特徴とする請求項１に記載のインターネット仲介サイトを利用したインターネットショッピングサービス提供方法。
【請求項７】
前記選択要請受信段階以降に、
前記購入者の選択に応じて前記注文代行サービスを介する決済またはショッピングサイトを介する決済を決定する段階をさらに含み、前記注文代行サービスを介する決済に決定された場合、以降の段階を実行することを特徴とする請求項１に記載のインターネット仲介サイトを利用したインターネットショッピングサービス提供方法。
【請求項８】
前記購入者から前記注文商品に対する交換、返品、キャンセル及び返金のうち少なくとも何れか一つに対する要請を受信すると、前記注文商品に対する交換、返品、キャンセル及び返金のうち少なくとも一つの要請情報を前記注文商品のショッピングサイトサーバに伝送する段階と、
前記注文商品のショッピングサイトサーバから前記要請に対する回答情報を受信して前記購入者に提供する段階と、をさらに含むことを特徴とする請求項１に記載のインターネット仲介サイトを利用したインターネットショッピングサービス提供方法。
【請求項９】
会員認証された購入者によって複数のショッピングサイトから選択された複数の商品に対する情報を保存する段階と、
前記購入者によって前記選択された商品に対する注文要請を受信すると、会員情報データベースから前記購入者の会員情報を抽出する段階と、をさらに含むことを特徴とする請求項１に記載のインターネット仲介サイトを利用したインターネットショッピングサービス提供方法。
【請求項１０】
請求項１乃至９の何れか一項に記載の方法を実行するためのプログラムが記録された記録媒体。
【請求項１１】
少なくとも一つのショッピングサイトと連携して購入者の商品注文を代行する注文代行サーバを含み、
前記注文代行サーバは、
購入者によって注文商品が選択されると、前記選択された商品を提供するショッピングサイトのサーバから前記選択された商品に対する商品情報及び前記ショッピングサイト情報を受信する第１インターフェース部と、
前記商品情報、前記ショッピングサイト情報及び前記購入者の会員情報を利用して注文代行サービスを介する注文決済のための注文決済情報を生成する注文決済情報生成部と、
前記選択された商品に対する決済が行われるように前記注文決済情報を少なくとも一つの決済代行サーバに伝送する第２インターフェース部と、を含んで構成されることを特徴とするインターネット仲介サイトを利用したインターネットショッピングサービス提供システム。
【請求項１２】
前記注文決済情報生成部は、
前記購入者によって複数の商品が選択され、前記選択された複数の商品がそれぞれ異なるショッピングサイトから提供される商品である場合、前記複数の商品を提供する各ショッピングサイト別に前記注文決済情報を生成することを特徴とする請求項１１に記載のインターネット仲介サイトを利用したインターネットショッピングサービス提供システム。
【請求項１３】
前記注文代行サーバは、
前記購入者によって複数の商品が選択され、前記選択された複数の商品がそれぞれ異なるショッピングサイトから提供される商品である場合、前記各商品を提供するショッピングサイト別に分類する注文情報分類部をさらに含み、
前記注文決済情報生成部は、前記分類されたショッピングサイト別に注文決済情報を生成することを特徴とする請求項１１に記載のインターネット仲介サイトを利用したインターネットショッピングサービス提供システム。
【請求項１４】
前記第２インターフェース部は、前記各ショッピングサイト別に生成された注文決済情報を前記各ショッピングサイトと連携している決済代行サーバにそれぞれ伝送することを特徴とする請求項１１に記載のインターネット仲介サイトを利用したインターネットショッピングサービス提供システム。
【請求項１５】
前記ショッピングサイト情報は、前記ショッピングサイトと連携している決済代行会社の情報、ショッピングサイトのＩＤ、ショッピングサイトのＵＲＬ、及び商品詳細情報ページのＵＲＬのうち少なくとも一つを含むことを特徴とする請求項１１に記載のインターネット仲介サイトを利用したインターネットショッピングサービス提供システム。
【請求項１６】
前記注文商品は、インターネット仲介サイトを利用したインターネット商品検索により検索された少なくとも一つのショッピングサイトの商品リストから選択されることを特徴とする請求項１１に記載のインターネット仲介サイトを利用したインターネットショッピングサービス提供システム。
【請求項１７】
前記注文代行サーバは、
前記購入者の選択に応じて前記注文代行サービスを介する決済またはショッピングサイトを介する決済を決定し、前記注文代行サービスを介する決済に決定された場合、前記注文決済情報を生成することを特徴とする請求項１１に記載のインターネット仲介サイトを利用したインターネットショッピングサービス提供システム。
【請求項１８】
前記注文代行サーバは、
前記購入者から前記注文商品に対する交換、返品、及び返金のうち少なくとも何れか一つに対する要請を受信すると、前記注文商品に対する交換、返品、及び返金のうち少なくとも一つの要請情報を前記注文商品のショッピングサイトサーバに伝送し、前記注文商品のショッピングサイトサーバから前記要請に対する回答情報を受信して前記購入者に提供する事後管理部をさらに含んで構成されることを特徴とする請求項１１に記載のインターネット仲介サイトを利用したインターネットショッピングサービス提供システム。
【請求項１９】
前記注文代行サーバは、
会員情報を保存する会員情報データベースと、
会員認証された購入者によって複数のショッピングサイトから選択された商品の情報を保存する商品情報データベースと、
前記購入者から前記選択された商品に対する注文要請を受信すると、前記会員情報データベースから前記購入者の会員情報を抽出する会員情報管理部と、をさらに含んで構成されることを特徴とする請求項１１に記載のインターネット仲介サイトを利用したインターネットショッピングサービス提供システム。
【発明の詳細な説明】
【技術分野】
【０００１】
本発明は、インターネットショッピングサービス方法及びシステムに関し、より具体的には、インターネット仲介サイトを介してショッピングサイトの商品を購入する場合、購入者の会員情報及び各ショッピングサイト別の商品代金の支払い方法を最初の一回入力すると毎回入力しなくても商品を注文できるようにしたインターネット仲介サイトを利用したインターネットショッピングサービス方法及びシステムに関する。
【背景技術】
【０００２】
インターネットの急速な普及につれて、インターネットを介する商品の販売及び購入が活発になっており、それに伴い様々な商品を販売するショッピングサイトが急速に増加しつつある。
【０００３】
インターネットを介して商品を購入しようとする購入者は、ショッピングサイトを全て検索して所望の商品を最も安く販売するところで商品を購入するが、数多くのショッピングサイトを全て検索することは非常に面倒であるだけでなく長い時間がかかる。そのため、最近はショッピングサイトの急激な増加に伴う商品検索の困難を解消するために、ショッピングサイトを検索する検索エンジンを適用したショッピングサイトの検索サイトが製作され、購入者が必要な商品を容易に検索できるようにしている。このような検索サイトは、購入者が希望する商品を最も安く取り扱うショッピングサイトを紹介する仲介役をするだけであって、実際の売買は購入者が検索されたショッピングサイトにアクセスし、各種の会員情報を入力して費用を決済することで成立する。即ち、検索サイトは、実際の売買に対する仲介役は行わない。
【０００４】
このような従来の検索サイトを利用した商品の購入は次のような問題点を有する。
【０００５】
第一に、購入者が特定ショッピングサイトに最初にアクセスする場合、氏名、会員ＩＤ、パスワード、住所、電話番号などのような個人情報を入力して会員登録しなければならず、その後、ショッピングサイトに再度アクセスする度に会員ＩＤとパスワードを入力しなければならないため、使用が面倒であるという問題点を有する。
【０００６】
第二に、各ショッピングサイト別に商品代金の支払い方法が異なるため、購入者は該当ショッピングサイトの商品代金の支払い方法に合わせて代金を支払わなければならず、複数の商品を異なるショッピングサイトで購入する場合、各ショッピングサイト別に代金を決済しなければならないという問題点を有する。
【０００７】
第三に、主に個人または小規模に運営するショッピングサイトで直接購入する場合には、販売者に対する信頼性の問題が生じる可能性があり、実際、購入者が小規模のショッピングサイトを介して商品を購入するために代金を支払った後、商品を受領できない可能性があるという問題点を有する。
【発明の概要】
【発明が解決しようとする課題】
【０００８】
本発明は、前記問題点を解決するためのものであって、インターネット仲介サイトを介してショッピングサイトの商品を購入する場合、購入者の会員情報及び各ショッピングサイト別の商品代金の支払い方法を最初の一回入力すると毎回入力しなくても商品を注文できるようにしたインターネット仲介サイトを利用したインターネットショッピングサービス方法及びシステムを提供することを技術的課題とする。
【０００９】
また、本発明は、インターネット仲介サイトを介して検索されたショッピングサイトの商品注文を代行できるようにしたインターネット仲介サイトを利用したインターネットショッピングサービス方法及びシステムを提供することを他の技術的課題とする。
【００１０】
また、本発明は、購入者が複数のショッピングサイトから選択した複数の商品に対する注文、支払いが一括で行われるようにしたインターネット仲介サイトを利用したインターネットショッピングサービス方法及びシステムを提供することをまた他の技術的課題とする。
【課題を解決するための手段】
【００１１】
前記技術的課題を達成するための本発明によるインターネット仲介サイトを利用したインターネットショッピングサービス提供方法は、購入者から注文商品に対する選択要請を受信する段階と、注文商品を提供するショッピングサイトのサーバから注文商品に対する商品情報及びショッピングサイト情報を受信する段階と、商品情報、ショッピングサイト情報及び購入者の会員情報を利用して、注文代行サービスを介する注文決済のための注文決済情報を生成する段階と、注文商品に対する決済が行われるように注文決済情報を少なくとも一つの決済代行サーバに伝送する段階と、を含むことを特徴とする。
【００１２】
一実施形態によると、注文決済情報を生成する段階において、購入者によって複数の商品が選択され、前記選択された複数の商品がそれぞれ異なるショッピングサイトから提供される商品である場合、前記注文決済情報は、前記複数の商品を提供する各ショッピングサイト別に生成されることを特徴とする。
【００１３】
一実施形態によると、注文決済情報を生成する段階は、購入者によって複数の商品が選択され、前記選択された複数の商品がそれぞれ異なるショッピングサイトから提供される商品である場合、前記各商品を提供するショッピングサイト別に分類する段階と、前記分類されたショッピングサイト別に注文決済情報を生成する段階と、を含むことを特徴とする。
【００１４】
一実施形態によると、注文決済情報を伝送する段階は、各ショッピングサイト別に生成された注文決済情報を前記各ショッピングサイトと連携する決済代行サーバにそれぞれ伝送することを特徴とする。
【００１５】
一実施形態によると、ショッピングサイト情報は、前記ショッピングサイトと連携する決済代行会社の情報、ショッピングサイトのＩＤ、ショッピングサイトのＵＲＬ、及び商品の詳細情報ページのＵＲＬのうち少なくとも一つを含むことを特徴とする。
【００１６】
一実施形態によると、注文商品は、インターネット仲介サイトを利用したインターネット商品検索により検索された少なくとも一つのショッピングサイトの商品リストから選択されることを特徴とする。
【００１７】
一実施形態によると、選択要請受信段階以降に、購入者の選択に応じて注文代行サービスを介する決済またはショッピングサイトを介する決済を決定する段階をさらに含み、前記注文代行サービスを介する決済に決定される場合、以降の段階を実行することを特徴とする。
【００１８】
一実施形態によると、購入者から前記注文商品に対する交換、返品、キャンセル及び返金のうち少なくとも何れか一つに対する要請を受信すると、注文商品に対する交換、返品、キャンセル及び返金のうち少なくとも一つの要請情報を前記注文商品のショッピングサイトサーバに伝送する段階と、前記注文商品のショッピングサイトサーバから前記要請に対する回答情報を受信して前記購入者に提供する段階と、をさらに含むことを特徴とする。
【００１９】
本発明によるインターネット仲介サイトを利用したインターネットショッピングサービス提供方法は、会員認証された購入者によって複数のショッピングサイトから選択された複数の商品に対する情報を保存する段階と、購入者によって前記選択された商品に対する注文要請を受信すると、会員情報データベースから前記購入者の会員情報を抽出する段階と、をさらに含むことを特徴とする。
【００２０】
前記技術的課題を果たすための本発明によるインターネット仲介サイトを利用したインターネットショッピングサービス提供システムは、少なくとも一つのショッピングサイトと連携して購入者の商品注文を代行する注文代行サーバを含み、前記注文代行サーバは、購入者によって注文商品が選択されると、前記選択された商品を提供するショッピングサイトのサーバから前記選択された商品に対する商品情報及び前記ショッピングサイト情報を受信する第１インターフェース部と、前記商品情報、前記ショッピングサイト情報及び前記購入者の会員情報を利用して注文代行サービスを介する注文決済のための注文決済情報を生成する注文決済情報生成部と、前記選択された商品に対する決済が行われるように前記注文決済情報を少なくとも一つの決済代行サーバに伝送する第２インターフェース部と、を含んで構成されることを特徴とする。
【００２１】
一実施形態によると、注文決済情報生成部は、購入者によって複数の商品が選択され、前記選択された複数の商品がそれぞれ異なるショッピングサイトから提供される商品である場合、前記複数の商品を提供する各ショッピングサイト別に前記注文決済情報を生成することを特徴とする。
【００２２】
一実施形態によると、注文代行サーバは、購入者によって複数の商品が選択され、前記選択された複数の商品がそれぞれ異なるショッピングサイトから提供される商品である場合、前記各商品を提供するショッピングサイト別に分類する注文情報分類部をさらに含み、注文決済情報生成部は、前記分類されたショッピングサイト別に注文決済情報を生成することを特徴とする。
【００２３】
一実施形態によると、第２インターフェース部は、各ショッピングサイト別に生成された注文決済情報を前記各ショッピングサイトと連携する決済代行サーバにそれぞれ伝送することを特徴とする。
【００２４】
一実施形態によると、ショッピングサイト情報は、前記ショッピングサイトと連携している決済代行会社の情報、ショッピングサイトのＩＤ、ショッピングサイトのＵＲＬ、及び商品詳細情報ページのＵＲＬのうち少なくとも一つを含むことを特徴とする。
【００２５】
一実施形態によると、注文商品は、インターネット仲介サイトを利用したインターネット商品検索により検索された少なくとも一つのショッピングサイトの商品リストから選択されることを特徴とする。
【００２６】
一実施形態によると、注文代行サーバは、前記購入者の選択に応じて前記注文代行サービスを介する決済またはショッピングサイトを介する決済を決定し、前記注文代行サービスを介する決済に決定された場合、前記注文決済情報を生成することを特徴とする。
【００２７】
一実施形態によると、注文代行サーバは、購入者から注文商品に対する交換、返品、及び返金のうち少なくとも何れか一つに対する要請を受信すると、前記注文商品に対する交換、返品、及び返金のうち少なくとも一つの要請情報を前記注文商品のショッピングサイトサーバに伝送し、前記注文商品のショッピングサイトサーバから前記要請に対する回答情報を受信して前記購入者に提供する事後管理部をさらに含んで構成されることを特徴とする。
【００２８】
一実施形態によると、注文代行サーバは、会員情報を保存する会員情報データベースと、会員認証された購入者によって複数のショッピングサイトから選択された商品の情報を保存する商品情報データベースと、前記購入者から前記選択された商品に対する注文要請を受信すると、前記会員情報データベースから前記購入者の会員情報を抽出する会員情報管理部と、をさらに含んで構成されることを特徴とする。
【発明の効果】
【００２９】
前記のような本発明は次のような効果を有する。
【００３０】
第一に、購入者がインターネット仲介サイトを介してショッピングサイトの商品を購入する場合、購入者の会員情報及び各ショッピングサイト別の商品代金の支払い方法を最初に一回入力すると毎回入力しなくてもインターネット仲介サイトに登録された会員情報により注文が行われるようにすることにより、インターネットショッピングの利便性と保安性を向上できるという効果を有する。
【００３１】
第二に、インターネット仲介サイトを介して検索された商品を提供する複数のショッピングサイトと複数の決済代行会社との間で商品注文、決済及び事後管理を中継することにより、インターネットショッピングの利便性と保安性を向上できるという効果を有する。
【００３２】
第三に、複数のショッピングサイトと連携した決済代行会社が異なっても一括決済ができるようにすることにより、インターネットショッピングの利便性を向上できるという効果を有する。
【図面の簡単な説明】
【００３３】
【図１】本発明の実施形態によるインターネット仲介サイトを利用したインターネットショッピングサービス提供システムを説明するための図面である。
【図２】本発明の実施形態による商品検索ページを説明するための図面である。
【図３】本発明の実施形態による商品詳細情報ページを説明するための図面である。
【図４】本発明の実施形態による注文代行サーバを説明するための図面である。
【図５】本発明の実施形態によるサービス登録ページを説明するための図面である。
【図６】本発明の実施形態による注文情報ページを説明するための図面である。
【図７】本発明の実施形態によるクレジットカード決済方式の決済情報要請ページを説明するための図面である。
【図８】本発明の実施形態によるクレジットカード決済方式の決済情報要請ページを説明するための図面である。
【図９】本発明の実施形態によるインターネットバンキングによるリアルタイム決済方式の決済情報要請ページを説明するための図面である。
【図１０】本発明の実施形態による決済方式による決済要請内訳ページを説明するための図面である。
【図１１】本発明の実施形態による決済方式による決済要請内訳ページを説明するための図面である。
【図１２】本発明の実施形態による注文／決済完了ページを説明するための図面である。
【図１３】本発明の実施形態による注文確認／配送照会ページを説明するための図面である。
【図１４】本発明の実施形態による注文詳細情報ページを説明するための図面である。
【図１５】本発明の実施形態によるインターネット仲介サイトを利用したインターネットショッピングサービス方法を説明するための図面である。
【図１６】本発明の実施形態によるインターネット仲介サイトを利用したインターネットショッピングサービス方法を説明するための図面である。
【発明を実施するための形態】
【００３４】
以下、図面を参照して本発明の実施形態について詳細に説明する。
【００３５】
図１は、本発明の実施形態によるインターネット仲介サイトを利用したインターネットショッピングサービス提供システムを説明するための図面である。
【００３６】
図１を参照すると、本発明の実施形態によるインターネット仲介サイトを利用したインターネットショッピングサービスシステムは、インターネット１００を介して互いにアクセスする注文代行サーバ２００と、複数のショッピングサイトサーバ３０１、３０２、３０３と、決済代行サーバ４０１、４０２、４０３と、配送照会サーバ５００と、購入者端末機６００と、を含んで構成されてもよい。
【００３７】
購入者端末機６００は、インターネット１００を介して注文代行サーバ２００で運営されるインターネット仲介サイトにアクセスして所望の商品のキーワードを入力して所望の商品を検索し、検索された商品を提供するショッピングサイトサーバ３０１、３０２、３０３のウェブページを介して注文するか否かを決定した後、前記のインターネット仲介サイトを介して注文するか否かを決定する。
【００３８】
複数のショッピングサイトサーバ３０１、３０２、３０３それぞれは、商品供給社または商品供給者から提供される商品の情報を含む商品ページを前記インターネット仲介サイトまたは直営ショッピングサイトを介して購入者端末機６００に提供する。商品ページをインターネット仲介サイトを介して提供しようとする場合、このような複数のショッピングサイトサーバ３０１、３０２、３０３それぞれから提供される商品ページは、注文代行サーバ２００から提供される検索サービスを介して提供されることができる。また、複数のショッピングサイトサーバ３０１、３０２、３０３は、注文代行サーバ２００と商品／決済システムを連携することができるようにサービス契約関係を持つ。
【００３９】
注文代行サーバ２００は、購入者端末機６００によりインターネット仲介サイトの検索窓に入力される購入者の商品キーワードに対応するインターネット上での多数のショッピングサイトの商品を検索する商品検索サービスを提供するとともに、少なくとも一つのショッピングサイトサーバ３０１、３０２、３０３及び決済代行サーバ４０１、４０２、４０３と連携して購入者の注文商品の注文を代行する。また、注文代行サーバ２００は、会員の購入履歴を提供するとともに注文商品の返品／交換／キャンセル／返金などの事後管理サービスを購入者に提供する。即ち、本発明の場合、購入者が直接該当ショッピングサイトを介して商品の購入及び決済を進めるのでなく、注文代行サーバ２００を介して商品の購入及び決済が進められるようにする。
【００４０】
具体的に、注文代行サーバ２００は、購入者端末機６００によりインターネット仲介サイトの検索窓に購入者の商品キーワードが入力されると、サーチエージェント（図示せず）を利用して入力された商品キーワードに対応するインターネット上での多数のショッピングサイトの商品を検索し、図２に図示されるように、検索された商品情報リストを含む商品検索ページ２０２を表示する。ここで、商品検索ページ２０２には、ポータルサービス会社（または商品検索サイト）の商品または商品サイト検索により検索された商品または商品サイトが、リスト、イメージ及びテキストのうち少なくとも一つの形態で表示されてもよい。
【００４１】
また、注文代行サーバ２００は、商品検索ページ２０２に表示される提携ショッピングサイトサーバ３０１、３０２、３０３または提携ショッピングサイトサーバ３０１、３０２、３０３の商品情報リストに、「ＮＡＶＥＲチェックアウト」のような提携識別子２０４を表示することができる。ここで、提携識別子２０４は、注文代行サービスに提携されたショッピングサイトサーバ３０１、３０２、３０３を購入者に知らせるための識別子である。さらに、購入者は提携識別子２０４を選択することにより、該当商品のショッピングサイトまたは該当商品ページに移動することができる。
【００４２】
また、購入者が購入者端末機６００を介して商品検索ページ２０２の商品リストから所望の商品または商品サイトを選択（またはマウスクリック）する場合、注文代行サーバ２００は、図３に図示されたように、選択された商品に対する商品情報及びショッピングサイト情報を利用して選択された商品を提供するショッピングサイトの商品詳細情報ページ２１２を表示する。ここで、ショッピングサイトの商品詳細情報ページ２１２には、購入者が注文代行サービスを利用できるように注文代行識別子２１４が表示される。ここで、注文代行識別子２１４は、注文要請ボタン２１８とお気に入り要請ボタン２１６とで構成されてもよい。一方、ショッピングサイトの商品詳細情報ページ２１２には、購入者が注文代行サービスを利用せず、ショッピングサイトで注文できるようにした「今すぐ購入（Ｂｕｙ  Ｎｏｗ）」、「カートに入れる（ｓｈｏｐｐｉｎｇ  ｃａｒｔ）」と、「お気に入りに追加（ｗｉｓｈ  ｌｉｓｔ）」などのショッピングサイト注文識別子２１９がさらに表示されることができる。
【００４３】
一実施形態によると、購入者は、商品詳細情報ページ２１２を確認した後、注文代行識別子２１４の注文要請ボタン２１８を選択して注文代行サーバ２００に該当商品の注文代行を要請したり、お気に入り要請ボタン２１６を選択して注文代行サーバ２００に該当商品のお気に入りへの追加を要請する。
【００４４】
他の実施形態によると、購入者が該当商品を該当ショッピングサイトのカートに入れた後、該当ショッピングサイトのカートページ（図示せず）に移動して注文を要請することもできる。このために、各ショッピングサイトのカートページには前記注文代行識別子２１４が表示されることにより、購入者は各ショッピングサイトのカートページに表示された注文代行識別子２１４を介して注文代行サーバ２００に該当商品の注文代行を要請することができる。
【００４５】
結果、購入者は、前記のような過程を経て商品検索ページ２０２の商品リストから所望の商品を選択し、選択された商品に対する注文を注文代行サーバ２００に要請することにより、少なくとも一つのショッピングサイトサーバ３０１、３０２、３０３それぞれで販売する複数の商品を統合して注文することができる。
【００４６】
このような注文代行サービスのための一実施形態による注文代行サーバ２００は、図４に図示されたように、会員情報データベース２０１０と、商品情報データベース２０２０と、会員情報管理部２０３０と、第１インターフェース部２０４０と、注文情報生成部２０５０と、決済要請内訳生成部２０６０と、注文情報分類部２０７０と、注文決済情報生成部２０８０と、第２インターフェース部２０９０と、事後管理部２１００と、配送管理部２１１０と、購入履歴管理部２１２０と、を含んで構成されてもよい。
【００４７】
会員情報データベース（ＤＢ）２０１０は、インターネット仲介サイト（例えば、インターネットポータルサイト）に会員登録された会員の会員情報を保存する。一実施形態において、このような会員情報にはユーザのＩＤ、パスワード、ユーザの住所、注文商品配送時に主に利用される住所、ユーザの連絡先、関心分野などが含まれてもよい。
【００４８】
商品情報データベース（ＤＢ）２０２０は、インターネット仲介サイトにアクセスして会員認証された購入者が商品検索により検索された複数のショッピングサイトから選択した少なくとも一つの商品に対する情報を保存する。ここで、商品情報データベース２０２０は、会員が少なくとも一つのショッピングサイトでカート、お気に入りリストなどに一時的に保存した商品情報を該当ショッピングサイトから提供を受けて保存することもできる。
【００４９】
会員情報管理部２０３０は、購入者がインターネット仲介サイトの注文代行管理ページを利用して商品情報データベース２０２０に保存された商品情報に対応する商品に対して注文を要請すると、会員情報データベース２０１０から購入者の会員情報を抽出する。即ち、会員情報管理部２０３０は、インターネット仲介サイトにアクセスして会員認証を経た購入者が商品注文の時、別途の注文者情報や配送先情報などを含む注文情報を入力しなくても、会員情報データベース２０１０から購入者の会員情報を自動抽出することにより商品の注文情報を生成することができる。
【００５０】
また、会員情報管理部２０３０は、購入者が注文代行サービスを利用する場合、図５に図示されたように、会員情報を利用した注文及び決済が行われるようにサービス登録ページ２２２を表示し、サービス登録ページ２２２を利用した注文代行サービスに対する基本サービス利用規約の同意手続きを進める。ここで、基本サービス利用規約の同意手続きは、注文代行サービスを最初に利用する時に行ってもよい。
【００５１】
一方、会員情報管理部２０３０は、購入者がインターネット仲介サイトにアクセスする際に、前記会員認証及び注文代行サービスに対する基本サービス利用規約の同意手続きを進めてもよい。
【００５２】
第１インターフェース部２０４０は、購入者によって注文商品が選択されると、注文商品を提供するショッピングサイトサーバ３０１、３０２、３０３から注文商品に対する商品情報及びショッピングサイト情報を受信する。
【００５３】
ここで、商品情報は、注文商品の商品番号、商品名、商品価格、配送料、カラー、サイズ、購入可能数量などを含んでもよい。また、ショッピングサイト情報は、該当ショッピングサイトと連携している決済代行会社（Ｐａｙｍｅｎｔ  Ｇａｔｅｗａｙ；ＰＧ）の情報、ショッピングサイトのＩＤ、ショッピングサイトのＵＲＬ、商品詳細情報ページのＵＲＬなどを含んでもよい。ここで、決済代行会社の情報をともに受信することは、購入者が複数のショッピングサイトから商品を購入する場合、各ショッピングサイトと連携している決済代行会社が異なる可能性があるため、各ショッピングサイトと連携している決済代行会社に注文商品に対する注文決済情報を伝送するためである。
【００５４】
また、第１インターフェース部２０４０は、購入者の注文商品に対する決済が完了すると、注文商品の配送が行われるように決済完了情報を該当ショッピングサイトサーバ３０１、３０２、３０３に伝送する。
【００５５】
注文情報生成部２０５０は、購入者の注文要請を受信すると、図６に図示されたように、第１インターフェース部２０４０から提供される商品情報を利用した注文内訳と、会員情報管理部２０３０から提供される購入者の会員情報により購入者の注文者情報及び配送先情報、そして支払い方法選択を含む注文情報ページ２３２を生成して購入者に提供する。
【００５６】
一実施形態によると、注文内訳は、各注文商品の商品名、販売価格、数量、ポイント、配送料、及び合計などを含み、注文者情報は、購入者が別途の注文情報を入力しなくても会員情報管理部２０３０から抽出された会員の氏名及び電子メール（Ｅ−Ｍａｉｌ）アドレスを含み、配送先情報は会員情報管理部２０３０から抽出された住所を含んでもよい。
【００５７】
一実施形態によると、支払い方法選択は、クレジットカード決済、インターネットバンキングによるリアルタイム決済（または振込み）、及び携帯電話決済などを含んでもよい。
【００５８】
決済要請内訳生成部２０６０は、前記購入者の注文商品に対する決済要請に応答して、購入者から決済情報の提供を受けるための決済情報要請ページを介して購入者から提供される決済情報を利用して決済要請内訳を生成する。ここで、決済要請内訳生成部２０６０は、購入者により選択された支払い方法それぞれに対応するクレジットカード決済方式、インターネットバンキングによるリアルタイム決済（または振込み）方式、及び携帯電話決済方式などを含む決済情報要請ページを表示する。
【００５９】
一実施形態によると、購入者が注文情報ページ２３２でクレジットカード決済方式を選択した場合、決済要請内訳生成部２０６０は、図７及び図８に図示されたように、クレジットカード決済方式の決済情報要請ページ２４２を生成して表示する。ここで、クレジットカード決済方式の決済情報要請ページ２４２は、支払い方法（例えば、公認認証方式、３Ｄセキュア／ＩＯＳＰ）、クレジットカード情報（例えば、クレジットカードの種類）、支払い区分（例えば、一括払い、分割払い）、購入者、購入者の電子メールアドレスなどを含んでもよい。
【００６０】
一実施形態によると、購入者が注文情報ページ２３２でインターネットバンキングによるリアルタイム決済方式を選択した場合、決済要請内訳生成部２０６０は、図９に図示されたように、インターネットバンキングによるリアルタイム決済方式の決済情報要請ページ２４２を生成する。ここで、インターネットバンキングによるリアルタイム決済方式の決済情報要請ページ２４２は、振込み銀行、口座番号、口座の暗証番号、預金者、身分証明書番号（または事業登録番号）、現金領収書申し込み可否などを含んでもよい。
【００６１】
これと同様に、購入者が注文情報ページ２３２で携帯電話決済方式を選択した場合、決済要請内訳生成部２０６０は、携帯電話決済方式の決済情報要請ページを生成する。
【００６２】
そして、購入者が決済情報要請ページ２４２に決済情報を入力した後、決済情報要請ページ２４２の「次へ」ボタンを選択すると、決済要請内訳生成部２０６０は、購入者から提供された決済情報により決済要請内訳を生成して、決済要請内訳ページを購入者に提供する。
【００６３】
一実施形態によると、購入者から図７及び図８に図示されたようなクレジットカード決済方式の決済情報が提供された場合、決済要請内訳生成部２０６０は、図１０に図示されたような決済要請内訳ページ２５２を生成して購入者に提供することができる。
【００６４】
一実施形態によると、購入者から図９に図示されたようなインターネットバンキングによるリアルタイム決済方式の決済情報が提供された場合、決済要請内訳生成部２０６０は、図１１に図示されたような決済要請内訳ページ２５２を生成して購入者に提供することができる。
【００６５】
注文情報分類部２０７０は、購入者が決済要請内訳ページの「確認」のような最終決済ボタンを選択して注文商品の最終決済を要請した場合、第１インターフェース部２０４０から提供されるショッピングサイト情報を利用して注文情報ページに生成された注文内訳の各注文商品を各ショッピングサイト別に分類し、分類されたショッピングサイト分類情報を注文決済情報生成部２０８０に提供する。このようなショッピングサイトの分類は、前記のように各ショッピングサイトと連携している決済代行会社が異なる可能性があるため、各ショッピングサイトと連携している決済代行会社で決済が行われるようにするためである。
【００６６】
一方、注文情報分類部２０７０は、第１インターフェース部２０４０から提供される注文商品を提供するショッピングサイトと連携している決済代行会社の情報を利用して注文情報ページに生成された注文内訳の各注文商品を各ショッピングサイト別に分類し、分類されたショッピングサイト分類情報を注文決済情報生成部２０８０に提供することができる。
【００６７】
注文決済情報生成部２０８０は、注文情報生成部２０５０から提供される注文情報、決済要請内訳生成部２０６０から提供される決済情報、及び注文情報分類部２０７０から提供されるショッピングサイト分類情報を利用して少なくとも一つの決済代行サーバ４０１、４０２、４０３で注文商品に対する決済が行われるようにするための注文決済情報を生成する。即ち、注文決済情報生成部２０８０は、注文情報生成部２０５０から提供される注文情報、注文情報分類部２０７０から提供されるショッピングサイト分類情報及び決済要請内訳生成部２０６０からの決済情報を利用して決済代行サーバ４０１、４０２、４０３で注文商品に対する決済が行われるようにするための注文決済情報を生成する。
【００６８】
一実施形態によると、購入者が第１ショッピングサイトから少なくとも一つの第１商品を注文する場合、注文決済情報生成部２０８０は、第１ショッピングサイトと連携している第１決済代行会社に対応する第１注文決済情報を生成する。
【００６９】
他の実施形態によると、購入者が決済代行会社が異なる第１及び第２ショッピングサイトで少なくとも一つの第１及び第２商品それぞれをまとめて注文する場合、注文決済情報生成部２０８０は、複数のショッピングサイト分類情報によって第１ショッピングサイトと連携された第１決済代行会社に対応する第１注文決済情報と、第２ショッピングサイトと連携された第２決済代行会社に対応する第２注文決済情報それぞれを生成する。
【００７０】
前記注文決済情報は、決済ＩＤ（ＴＩＤ）、注文代行サービス注文番号、決済日、ショッピングサイト情報（ショッピングサイトのＩＤ、ショッピングサイトのパスワード、ショッピングサイトの商号、ショッピングサイトのＵＲＬ）、商品情報（価格、商品名１、商品名２）、購入者情報（購入者の氏名、購入者の電子メールアドレス、購入者の連絡先）、決済情報（支払い方法、クレジットカードコード（種類）、無利子タイプ、支払い回数、クレジットカード番号、銀行コード、入金予定日）、現金領収書（現金領収書可否、現金領収書の発行情報、現金領収書の用途）、エスクロー（Ｅｓｃｒｏｗ）（配送期間、エスクロー可否、受取人の氏名、受取人の電子メールアドレス、受取人の連絡先、配送先の郵便番号、配送先の住所）、決済結果（決済ＩＤ、決済日、結果コード、結果メッセージ、承認番号、承認金額、現金領収書発行結果、現金領収書発行用途、仮想口座（入金口座番号、入金銀行コード、預金者の氏名、送金日））、決済キャンセル要請（決済ＩＤ、ショッピングサイトＩＤ、キャンセル要請者、キャンセル要請者のＩＰアドレス、キャンセル理由）、決済キャンセル結果（決済ＩＤ、ショッピングサイトＩＤ、結果コード、結果メッセージ）などを含んでもよい。
【００７１】
第２インターフェース部２０９０は、決済代行サーバ４０１、４０２、４０３で決済が行われるように注文決済情報生成部２０８０から提供される注文決済情報を決済代行サーバ４０１、４０２、４０３に伝送する。ここで、第２インターフェース部２０９０は、注文決済情報がショッピングサイト別に生成された場合、各ショッピングサイトの注文決済情報を該当ショッピングサイトと連携した決済代行サーバ４０１、４０２、４０３に伝送する。
【００７２】
また、第２インターフェース部２０９０は、各決済代行サーバ４０１、４０２、４０３から提供される決済承認情報を購入者に提供する。
【００７３】
事後管理部２１００は、第２インターフェース部２０９０を介して決済代行サーバ４０１、４０２、４０３から決済承認情報を受信すると、図１２に図示されたような、注文／決済完了ページ２６２を購入者に提供する。ここで、注文／決済完了ページ２６２は、注文代行サービスの注文番号、決済合計金額、支払い方法、注文者情報、配送先情報、注文商品情報を含んでもよい。
【００７４】
また、事後管理部２１００は、購入者端末機６００から注文された商品の交換処理、返品処理、キャンセル、及び返金処理のうち少なくとも一つが要請された場合、注文された商品を提供するショッピングサイトサーバ３０１、３０２、３０３と連携して、購入者とショッピングサイトサーバ３０１、３０２、３０３との間で商品交換、返品、キャンセル、及び返金手続きが行われることができるように管理する。
【００７５】
配送管理部２１１０は、注文決済が完了すると、配送会社の配送照会サーバ５００と連携して該当商品の配送状況を購入者に提供する。
【００７６】
一実施形態によると、配送管理部２１１０は、購入者の注文確認／配送照会要請に応答して、配送照会サーバ５００に注文商品の配送状況情報を要請し、配送照会サーバ５００から提供される配送状況情報を受信して購入者に提供することができる。ここで、配送状況情報は、図１３に図示されたように、インターネット仲介サイトで運営する注文代行管理ページの「マイページ」のようなタブによって実行される注文確認／配送照会ページ２７２を介して購入者に提供されることができる。
【００７７】
購入履歴管理部２１２０は、図１４に図示されたように、注文代行管理ページの「マイページ」のようなタブによって実行される注文詳細情報ページ２８２を介して注文商品に対する配送状況情報、注文商品情報、配送情報、決済情報、処理内訳などを購入者に提供することができる。
【００７８】
また、購入履歴管理部２１２０は、会員の商品購入履歴を管理し、会員が検索した商品情報及び／またはショッピングサイト情報、会員がアクセスしたショッピングサイト情報、及び会員の購入完了商品、購入進行商品、お気に入り商品などのような情報を会員に提供する。
【００７９】
また、購入履歴管理部２１２０は、購入者が注文商品に対する商品評価、口コミなどのような評価情報を保存して該当商品の購入者の評価情報を他の購入者に提供することもできる。
【００８０】
図１で、決済代行サーバ４０１、４０２、４０３それぞれは、注文代行サーバ２００から提供される注文決済情報を受信して決済を承認し、決済承認結果を注文代行サーバ２００に提供する。このために、決済代行サーバ４０１、４０２、４０３と注文代行サーバ２００とは、決済に関する提携関係を持っており、決済代行サーバ４０１、４０２、４０３は、予めショッピングサイトサーバ３０１、３０２、３０３とも提携関係を持っているため、特定ショッピングサイトを介して購入された商品に対する決済は、該当ショッピングサイトと提携している決済代行サーバによってのみ行われることができる。
【００８１】
配送照会サーバ５００は、インターネットショッピングサイトから購入者に配送される商品の配送状況情報を注文代行サーバ２００に提供することにより、注文代行サーバ２００からインターネット仲介サイトの会員購入履歴ページを介して注文商品の配送状況情報を購入者に提供する。
【００８２】
このような本発明の実施形態によるインターネット仲介サイトを利用したインターネットショッピングサービスシステムは、注文代行サーバ２００で商品の検索を提供するとともに登録された会員情報を利用して会員がショッピングサイトの会員登録を行わずに検索された商品の注文及び決済を行うことができるようにすることで、インターネットショッピングの利便性と保安性及び信頼性を向上できる。
【００８３】
図１５及び図１６は、本発明の実施形態によるインターネット仲介サイトを利用したインターネットショッピングサービス方法を説明するための図面である。
【００８４】
図１５及び図１６を図１乃至図１４を参照して本発明の実施形態によるインターネット仲介サイトを利用したインターネットショッピングサービス方法を説明すると次のとおりである。
【００８５】
先ず、購入者は端末機を利用して注文代行サーバ２００のインターネット仲介サイトにアクセスして（Ｓ１００）、インターネット仲介サイトの検索窓に所望の商品または商品サイトを入力する（Ｓ１１０）。
【００８６】
その後、注文代行サーバ２００は、購入者端末機６００によってインターネット仲介サイトの検索窓に購入者の商品キーワードが入力されると、サーチエージェント（図示せず）を利用して入力された商品キーワードに対応するインターネット上での多数のショッピングサイトの商品を検索し、図２に図示されたように、検索された商品情報リストを含む商品検索ページ２０２を表示する（Ｓ１２０）。
【００８７】
ここで、商品検索ページ２０２には、ポータルサービス会社（または商品検索サイト）の商品または商品サイト検索により検索された商品または商品サイトが、リスト、イメージ、及びテキストのうち少なくとも一つの形態に表示されることができる。
【００８８】
Ｓ１２０段階における注文代行サーバ２００は、商品検索ページ２０２に表示される提携ショッピングサイトサーバ３０１、３０２、３０３または提携ショッピングサイトサーバ３０１、３０２、３０３の商品情報リストに、「ＮＡＶＥＲチェックアウト」のような提携識別子２０４を表示することができる。ここで、提携識別子２０４は、注文代行サービスに提携されたショッピングサイトサーバ３０１、３０２、３０３を購入者に知らせるための識別子である。さらに、購入者は、提携識別子２０４を選択することにより、該当商品のショッピングサイトまたは該当商品ページに移動することができる。
【００８９】
その後、購入者は、注文代行サーバ２００によって表示される商品検索ページ２０２の商品リストから提携識別子２０４が表示された商品のうち所望の商品を選択し（Ｓ１３０）、選択された商品に対する注文を注文代行サーバ２００に要請する（Ｓ１４０）。
【００９０】
一実施形態によるＳ１３０段階を説明すると次のとおりである。
【００９１】
先ず、購入者が購入者端末機６００を介して商品検索ページ２０２の商品リストから所望の商品または商品サイトを選択（またはマウスクリック）する場合、注文代行サーバ２００は、図３に図示されたように、第１インターフェース部２０４０から提供される選択商品に対する商品情報及びショッピングサイト情報を利用して選択商品を提供するショッピングサイトの商品詳細情報ページ２１２を表示する。ここで、ショッピングサイトの商品詳細情報ページ２１２には、購入者が注文代行サービスを利用できるように注文代行識別子２１４が表示される。ここで、注文代行識別子２１４は、お気に入り要請ボタン２１６と、注文要請ボタン２１８とで構成されてもよい。一方、ショッピングサイトの商品詳細情報ページ２１２には、購入者が注文代行サービスを利用せずに、ショッピングサイトで注文することができるようにした「今すぐ購入（Ｂｕｙ  Ｎｏｗ）」、「カートに入れる（Ｓｈｏｐｐｉｎｇ  ｃａｒｔ）」と、「お気に入りに追加（ｗｉｓｈ  ｌｉｓｔ）」などのショッピングサイト注文識別子２１９がさらに表示されてもよい。
【００９２】
一実施形態によると、購入者は、商品詳細情報ページ２１２を確認した後、注文代行識別子２１４の注文要請ボタン２１８を選択して注文代行サーバ２００に該当商品の注文代行を要請したり、お気に入り要請ボタン２１６を選択して注文代行サーバ２００に該当商品のお気に入りへの追加を要請する。
【００９３】
他の実施形態によると、購入者が該当商品を該当ショッピングサイトのカートに入れた後、該当ショッピングサイトのカートページ（図示せず）に移動して注文を要請することもできる。このために、各ショッピングサイトのカートページには前記注文代行識別子２１４が表示されることにより、購入者は各ショッピングサイトのカートページに表示された注文代行識別子２１４を介して注文代行サーバ２００に該当商品の注文代行を要請することができる。
【００９４】
結果、購入者は、前記のような過程を経て商品検索ページ２０２の商品リストから所望の商品を選択し（Ｓ１３０）、選択された商品に対する注文を注文代行サーバ２００に要請（Ｓ１４０）することにより、少なくとも一つのショッピングサイトサーバ３０１、３０２、３０３それぞれで販売する複数の商品をまとめて注文することができる。
【００９５】
その後、注文代行サーバ２００は、会員情報管理部２０３０を介して、購入者の注文要請に応答して購入者に対する会員認証を行う（Ｓ１５０）。ここで、会員情報管理部２０３０は、購入者から提供された会員ＩＤと、パスワードと会員情報データベース２０１０に保存された会員情報とを対照して購入者の会員認証を行い、購入者が非会員である場合、会員登録手続きを行い会員認証を行う。
【００９６】
また、会員情報管理部２０３０は、購入者が注文代行サービスを利用する場合、図５に図示されたように、会員情報を利用した注文及び決済が行われるようにサービス登録ページ２２２を表示し、サービス登録ページ２２２を利用した注文代行サービスに対する基本サービス利用規約の同意手続きを行う。ここで、基本サービス利用規約の同意手続きは、注文代行サービスを最初に利用する時に行われてもよい。
【００９７】
一方、会員情報管理部２０３０は、購入者がインターネット仲介サイトにアクセスする際に、前記会員認証及び注文代行サービスに対する基本サービス利用規約の同意手続きを行うこともできる（Ｓ１０５）。
【００９８】
また、注文代行サーバ２００は、会員認証段階（Ｓ１５０）の前に購入者の注文商品の在庫有無を先に検索することができる。即ち、注文代行サーバ２００は、購入者の注文要請に応じて第１インターフェース部２０４０を介して購入者の注文商品情報を該当ショッピングサイトサーバ３０１、３０２、３０３に伝送する（Ｓ１４２）。これにより、該当ショッピングサイトサーバ３０１、３０２、３０３は、図１６に図示されたように、注文代行サーバ２００からの注文商品情報を受信して該当商品の在庫状況を把握（Ｓ１４４）した後、注文商品の在庫検索結果を注文代行サーバ２００に提供する。従って、注文代行サーバ２００は、該当ショッピングサイトサーバ３０１、３０２、３０３から提供される注文商品の在庫検索結果により、注文可能な場合、該当商品の注文が可能であるというメッセージを購入者に提供した後、前記図１５のＳ１５０段階に進んだり、該当商品の在庫切れにより注文が不可能であるというメッセージを購入者に提供することができる。勿論、このような購入者の注文商品の在庫有無は、商品選択時または以下の注文商品の決済時に行われてもよい。
【００９９】
その後、購入者が選択した注文商品に対して注文代行を要請すると、注文代行サーバ２００は、注文情報生成部２０５０を介して、図６に図示されたように、第１インターフェース部２０４０から提供される商品情報を利用した注文内訳と、会員情報管理部２０３０から提供される購入者の会員情報を利用した購入者の注文者情報及び配送先情報、そして支払い方法選択を含む注文情報を生成して注文情報ページ２３２を表示する（Ｓ１６０）。
【０１００】
一実施形態によると、注文内訳は、各注文商品に対する商品名、価格、数量、ポイント、配送料、及び合計などを含み、注文者情報は購入者が別途の注文情報を入力しなくても会員情報管理部２０３０から抽出された会員氏名及び電子メール（Ｅ−Ｍａｉｌ）アドレスを含み、配送先情報は会員情報管理部２０３０から抽出されたアドレスを含むことができる。
【０１０１】
一実施形態によると、支払い方法選択は、クレジットカード決済、インターネットバンキングによるリアルタイム決済、携帯電話決済などを含むことができる。
【０１０２】
その後、購入者は、注文情報ページ２３２に表示された注文商品、数量、注文者情報、及び配送先情報を確認する（Ｓ１７０）。ここで、購入者は、各注文商品の数量、注文者情報及び配送先情報を変更することができる。
【０１０３】
その後、購入者は注文情報ページ２３２を介して決済要請、即ち「決済する」ボタンをクリックして注文代行サーバ２００に注文商品に対する決済を要請する（Ｓ１８０）。
【０１０４】
その後、注文代行サーバ２００は、注文情報ページ２３２の決済要請に応答し、決済要請内訳生成部２０６０を介して、購入者から決済情報の提供を受けるための決済情報要請ページを生成して購入者に提供する（Ｓ１９０）。
【０１０５】
一実施形態によると、購入者が注文情報ページ２３２でクレジットカード決済方式を選択した場合、決済要請内訳生成部２０６０は、図７及び図８に図示されたように、クレジットカード決済方式の決済情報要請ページ２４２を生成して表示する。ここで、クレジットカード決済方式の決済情報要請ページ２４２は、支払い方法（例えば、公認認証方式、３Ｄセキュア／ＩＯＳＰ）、クレジットカード情報（例えば、クレジットカード種類）、支払い区分（例えば、一括払い、分割払い）、購入者、購入者の電子メールアドレスなどを含むことができる。
【０１０６】
一実施形態によると、購入者が注文情報ページ２３２でインターネットバンキングによるリアルタイム決済方式を選択した場合、決済要請内訳生成部２０６０は、図９に図示されたように、インターネットバンキングによるリアルタイム決済方式の決済情報要請ページ２４２を生成する。ここで、インターネットバンキングによるリアルタイム決済方式の決済情報要請ページ２４２は、振込み銀行、口座番号、口座の暗証番号、預金者、身分証明書番号（または事業登録番号）、現金領収書申し込み可否などを含むことができる。
【０１０７】
これと同様に、購入者が注文情報ページ２３２で携帯電話決済方式を選択した場合、決済要請内訳生成部２０６０は、携帯電話決済方式の決済情報要請ページを生成する。
【０１０８】
その後、購入者が決済要請内訳生成部２０６０により表示される決済情報要請ページ２４２に決済情報を入力（Ｓ２００）し、決済情報要請ページ２４２の「次へ」ボタンを選択すると、決済要請内訳生成部２０６０は、購入者から提供された決済情報により決済要請内訳を生成し、生成された決済要請内訳を含む決済要請内訳ページを購入者に提供する（Ｓ２１０）。
【０１０９】
一実施形態によると、購入者から図７及び図８に図示されたようなクレジットカード決済方式の決済情報が提供される場合、決済要請内訳生成部２０６０は、図１０に図示されたような決済要請内訳ページ２５２を生成して購入者に提供することができる。
【０１１０】
一実施形態によると、購入者から図８に図示されたようなインターネットバンキングによるリアルタイム決済方式の決済情報が提供される場合、決済要請内訳生成部２０６０は、図１１に図示されたような決済要請内訳ページ２５２を生成して購入者に提供することができる。
【０１１１】
その後、購入者が決済要請内訳ページ２５２の「確認」ボタンを選択して注文商品に対する最終決済を要請（Ｓ２２０）すると、注文代行サーバ２００は、注文決済情報生成部２０８０を介して注文決済情報を生成する（Ｓ２３０）。ここで、購入者は、決済要請内訳ページ２５２に表示された注文商品名及び数量、支払い金額、支払い方法などの決済情報を最終確認した後、「確認」ボタンを選択して注文代行サーバ２００に注文商品に対する最終決済を要請する。
【０１１２】
一方、注文代行サーバ２００の注文情報分類部２０７０は、購入者の最終決済要請に応じて第１インターフェース部２０４０から提供されるショッピングサイト情報を利用して注文情報ページに生成された注文内訳の各注文商品を各ショッピングサイト別に分類し、分類されたショッピングサイト分類情報を注文決済情報生成部２０８０に提供する。このようなショッピングサイトの分類は、前記のように各ショッピングサイトと連携している決済代行会社が異なる可能性があるため、各ショッピングサイトと連携している決済代行会社で決済が行われるようにするためのである。
【０１１３】
また、注文情報分類部２０７０は、第１インターフェース部２０４０から提供される注文商品を提供するショッピングサイトと連携した決済代行会社の情報を利用して注文情報ページに生成された注文内訳の各注文商品を各ショッピングサイト別に分類し、分類されたショッピングサイト分類情報を注文決済情報生成部２０８０に提供する。
【０１１４】
これにより、注文決済情報生成部２０８０は、注文情報生成部２０５０から提供される注文情報、注文情報分類部２０７０から提供されるショッピングサイト分類情報、及び決済要請内訳生成部２０６０からの決済情報を利用して決済代行サーバ４０１、４０２、４０３で注文商品に対する決済が行われるようにするための注文決済情報を生成する。
【０１１５】
一実施形態によると、購入者が第１ショッピングサイトで少なくとも一つの第１商品を注文する場合、注文決済情報生成部２０８０は、第１ショッピングサイトと連携している第１決済代行会社に対応する第１注文決済情報を生成する。
【０１１６】
他の実施形態によると、購入者が決済代行会社が異なる第１及び第２ショッピングサイトで少なくとも一つの第１及び第２商品それぞれをまとめて注文する場合、注文決済情報生成部２０８０は、複数のショッピングサイト分類情報により、第１ショッピングサイトと連携して第１決済代行会社に対応する第１注文決済情報と、第２ショッピングサイトと連携して第２決済代行会社に対応する第２注文決済情報とをそれぞれ生成する。
【０１１７】
前記注文決済情報は、決済ＩＤ（ＴＩＤ）、注文代行サービス注文番号、決済日、ショッピングサイト情報（ショッピングサイトのＩＤ、ショッピングサイトのパスワード、ショッピングサイトの商号、ショッピングサイトのＵＲＬ）、商品情報（価格、商品名１、商品名２）、購入者情報（購入者の氏名、購入者の電子メールアドレス、購入者の連絡先）、決済情報（支払い方法、クレジットカードコード（種類）、無利子タイプ、支払い回数、クレジットカード番号、銀行コード、入金予定日）、現金領収書（現金領収書可否、現金領収書の発行情報、現金領収書の用途）、エスクロー（Ｅｓｃｒｏｗ）（配送期間、エスクロー可否、受取人の氏名、受取人の電子メールアドレス、受取人の連絡先、配送先の郵便番号、配送先の住所）、決済結果（決済ＩＤ、決済日、結果コード、結果メッセージ、承認番号、承認金額、現金領収書の発行結果、現金領収書の発行用途、仮想口座（入金口座番号、入金銀行コード、預金者の氏名、送金日）、決済キャンセル要請（決済ＩＤ、ショッピングサイトＩＤ、キャンセル要請者、キャンセル要請者のＩＰアドレス、キャンセル理由）、決済キャンセル結果（決済ＩＤ、ショッピングサイトＩＤ、結果コード、結果メッセージ）などを含んでもよい。
【０１１８】
その後、注文代行サーバ２００は、第２インターフェース部２０９０を介して注文決済情報生成部２０８０から生成された注文決済情報を該当商品のショッピングサイトサーバ３０１、３０２、３０３と連携した決済代行サーバ４０１、４０２、４０３に伝送して決済承認を要請する（Ｓ２４０）。ここで、注文代行サーバ２００は、安全な決済のために公認認証書情報またはＩＳＰ決済／３Ｄセキュア情報を購入者に要請した後、確認してから注文決済情報を決済代行サーバ４０１、４０２、４０３に伝送してもよい。そして、第２インターフェース部２０９０は、注文決済情報がショッピングサイト別に生成された場合、各ショッピングサイトの注文決済情報を該当ショッピングサイトと連携した決済代行サーバ４０１、４０２、４０３に伝送してもよい。
【０１１９】
その後、決済代行サーバ４０１、４０２、４０３は、注文代行サーバ２００から送信される注文決済情報を受信して注文決済情報に対する決済承認過程（Ｓ２５０）を行い、決済承認結果に対応する決済承認情報を注文代行サーバ２００に提供する（Ｓ２６０）。
【０１２０】
その後、注文代行サーバ２００は、第２インターフェース部２０９０を介して決済代行サーバ４０１、４０２、４０３から決済承認情報を受信すると、図１２に図示されたように、注文／決済完了ページ２６２を購入者に提供する（Ｓ２７０）。ここで、注文／決済完了ページ２６２は、注文代行サービスの注文番号、決済合計金額、支払い方法、注文者情報、配送先情報、注文商品情報を含んでもよい。
【０１２１】
その後、注文代行サーバ２００は、第１インターフェース部２０４０を介して注文／決済完了情報を該当ショッピングサイトサーバ３０１、３０２、３０３に提供する（Ｓ２８０）。
【０１２２】
これにより、該当ショッピングサイトサーバ３０１、３０２、３０３は、注文代行サーバ２００から提供された注文／決済完了情報に対応する商品供給会社に該当商品の配送を要請し、商品供給会社は、ショッピングサイトサーバ３０１、３０２、３０３の配送要請に応じて該当商品が購入者に配送されるように配送会社に配送を要請する。従って、配送会社は、該当商品を購入者に配送する。ここで、配送会社は、配送照会サーバ５００を利用して該当注文商品の配送状況を管理する。
【０１２３】
その後、注文代行サーバ２００は、配送照会サーバ５００に注文商品の配送状況情報を要請（Ｓ２９０）し、配送照会サーバ５００から提供される配送状況情報を受信（Ｓ３００）して購入者に提供することができる。ここで、配送状況情報は、図１３に図示されたように、インターネット仲介サイトで運営する注文代行管理ページの「マイページ」のようなタブにより実行される注文確認／配送照会ページ２７２を介して購入者に提供されてもよい。一方、購入者は、図１４に図示されたように、注文代行管理ページの「マイページ」のようなタブにより実行される注文詳細情報ページ２８２を介して注文商品に対する配送状況情報、注文商品情報、配送情報、決済情報、処理内訳などを確認することができる。
【０１２４】
その後、購入者は配送会社から配送される商品を受領（Ｓ３１０）した後、注文代行サーバ２００のインターネットウェブページにアクセスして受領した商品に対する商品評価、口コミなどを作成したり、商品不良の場合、返品／交換／キャンセル／返金などを要請することができる（Ｓ３２０）。
【０１２５】
その後、購入者が注文商品に対する返品／交換／キャンセル／返金などを要請する場合、注文代行サーバ２００は、購入者の商品返品／交換／キャンセル／返金要請に応答して、購入者の商品返品／交換／キャンセル／返金要請に対する該当ショッピングサイトサーバ３０１、３０２、３０３の承認を要請する（Ｓ３３０）。
【０１２６】
これにより、該当ショッピングサイトサーバ３０１、３０２、３０３は、注文代行サーバ２００からの購入者の商品返品／交換／キャンセル／返金要請を審査して返品／交換／キャンセル／返金承認要請を処理（Ｓ３４０）した後、購入者の商品に対する返品／交換／キャンセル／返金承認結果を注文代行サーバ２００に提供する（Ｓ３４５）。また、該当ショッピングサイトサーバ３０１、３０２、３０３は、購入者の商品に対する返品／交換／キャンセル／返金承認結果を決済代行サーバ４０１、４０２、４０３及び配送照会サーバ５００に提供する（Ｓ３４６、Ｓ３４７）。
【０１２７】
その後、注文代行サーバ２００は、該当ショッピングサイトサーバ３０１、３０２、３０３から提供される返品／交換／キャンセル／返金承認結果を購入者に提供する（Ｓ３５０）。
【０１２８】
一方、注文代行サーバ２００は、配送照会サーバ５００と連携して注文商品に対する返品／承認／キャンセルに対する配送情報を購入者に提供することができる。
【０１２９】
一方、前記本発明の実施形態によるインターネット仲介サイトを利用したインターネットショッピングサービス方法は、様々なコンピューター手段を利用して行われることができるプログラム形態に具現することもでき、ここで、インターネット仲介サイトを利用したインターネットショッピングサービス方法を行うのプログラムは、ハードディスク、ＣＤ−ＲＯＭ、ＤＶＤ、ＲＯＭ、ＲＡＭ、またはフラッシュメモリのような、コンピューターにより読み取ることができる記録媒体に保存されることができる。
【０１３０】
本発明が属する技術分野の当業者は、本発明がその技術的思想や必須特徴を変更せずに他の具体的な形態に実施されることができるということを理解することができるであろう。従って、以上で記述した実施形態は全ての面において例示的なものであって限定的なものではないことを理解しなければならない。本発明の範囲は、前記詳細な説明よりは後述する特許請求の範囲により示され、特許請求の範囲の意味及び範囲、またその等価の概念から導き出される全ての変更または変形された形態が本発明の範囲に含まれると解釈しなければならない。
【図１】
0005362902.tif 000002
【図４】
0005362902.tif 000003
【図１５】
0005362902.tif 000004
【図１６】
0005362902.tif 000005
【図２】
0005362902.tif 000006
【図３】
0005362902.tif 000007
【図５】
0005362902.tif 000008
【図６】
0005362902.tif 000009
【図７】
0005362902.tif 000010
【図８】
0005362902.tif 000011
【図９】
0005362902.tif 000012
【図１０】
0005362902.tif 000013
【図１１】
0005362902.tif 000014
【図１２】
0005362902.tif 000015
【図１３】
0005362902.tif 000016
【図１４】
0005362902.tif 000017